(57)【要約】  【目的】  光学ロウ・パス・フィルタの特性に応じてＲＧＢ補間処理を行う。  【構成】  光学ロウ・パス・フィルタが前方に配置されたＣＣＤを用いて被写体を撮像して，点順次画像データを得る。点順次画像データと光学ロウ・パス・フィルタ特性とをメモリ・カードに記録する。再生時には，メモリ・カードから光学ロウ・パス・フィルタ特性が読み取られる（ステップ72）。光学ロウ・パス・フィルタ特性に応じて，ＲＧＢ補間に利用される重み付け係数が設定される（ステップ74〜76）。設定された重み付け係数を用いてＲＧＢ補間が行われる（ステップ77）。  【選択図】      図11
2005167862.tif 000002
【特許請求の範囲】
【請求項１】
入射光をその特性に応じて分離する光学ロウ・パス・フィルタ，
受光面上にカラー・フィルタが形成されている多数のフォトダイオードが配置され，上記光学ロウ・パス・フィルタを介して入射する光の像が受光面上に結像する固体電子撮像素子を含み，被写体を撮像することにより被写体像を表す点順次画像データを出力する撮像手段，ならびに
上記撮像手段から出力された点順次画像データおよび上記光学ロウ・パス・フィルタ特性を表わすデータを着脱自在な記録媒体に記録する記録制御手段，
を備えた撮像装置。
【請求項２】
上記記録制御手段は，上記撮像手段から出力された点順次画像データおよび上記光学ロウ・パス・フィルタの特性として分離角度を表わすデータを着脱自在な記録媒体に記録するものである，
請求項１に記載の撮像装置。
【請求項３】
上記光学ロウ・パス・フィルタは，複数のロウ・パス・フィルタ板が積層されているものであり，
上記記録制御手段は，上記撮像手段から出力された点順次画像データおよび上記複数の光学ロウ・パス・フィルタ板のそれぞれの光学ロウ・パス・フィルタ板の特性または積層された光学ロウ・パス・フィルタ全体の特性を表わすデータを着脱自在な記録媒体に記録するものである，
請求項１に記載の撮像装置。
【請求項４】
点順次画像データおよび光学ロウ・パス・フィルタの特性を表わすデータが記録されている記録媒体から点順次画像データおよび光学ロウ・パス・フィルタの特性を表わすデータを読み取る読取手段，
上記読取手段によって読み取られた光学ロウ・パス・フィルタ特性データによって表わされる特性にもとづいて，上記読取手段によって読み取られた点順次画像データの補間処理を行う補間回路，ならびに
上記補間回路によって補間処理が行われた画像データを出力する出力装置，
を備えた点順次画像データ再生装置。
【請求項５】
受光面上にカラー・フィルタが形成されている多数のフォトダイオードが配置され，入力する光の像が受光面上に結像する固体電子撮像素子の前面に，入射光をその特性に応じて分離する光学ロウ・パス・フィルタを配置し，
上記固体電子撮像素子を用いて被写体を撮像することにより被写体像を表す点順次画像データを得，
撮像により得られた点順次画像データおよび上記光学ロウ・パス・フィルタの特性を表わすデータを着脱自在な記録媒体に記録する，
撮像装置の制御方法。
【請求項６】
点順次画像データおよび光学ロウ・パス・フィルタの特性を表わすデータが記録されている記録媒体から点順次画像データおよび光学ロウ・パス・フィルタの特性を表わすデータを読み取り，
読み取られた光学ロウ・パス・フィルタ特性データによって表わされる特性にもとづいて，読み取られた点順次画像データの補間処理を行い，
補間処理が行われた画像データを出力する，
点順次画像データ再生装置の制御方法。
【請求項７】
点順次画像データおよび光学ロウ・パス・フィルタの特性を表わすデータが記録されている記録媒体から点順次画像データおよび光学ロウ・パス・フィルタの特性を表わすデータを読み取らせ，
読み取られた光学ロウ・パス・フィルタ特性データによって表わされる特性にもとづいて，読み取られた点順次画像データの補間処理を行わせ，
補間処理が行われた画像データを出力させるように，点順次画像データ再生装置を制御するプログラム。
【請求項８】
請求項７に記載のプログラムが格納された記録媒体。
【発明の詳細な説明】
【技術分野】
【０００１】
この発明は，撮像装置および点順次画像データ再生装置ならびにそれらの制御方法ならびに点順次画像データ再生装置を制御するプログラムに関する。
【背景技術】
【０００２】
ＣＣＤなどの固体電子撮像素子の前方には光学ロウ・パス・フィルタが配置されることがある。フォトダイオード上にカラー・フィルタが形成されているＣＣＤに光学ロウ・パス・フィルタを介して，光が入射し，ＣＣＤの受光面上に被写体像が結像する。ＣＣＤからは画素ごとに赤色成分，青色成分または緑色成分のいずれかの光成分をもつ点順次映像信号が出力される。点順次映像信号が，アナログ／ディジタル変換されることにより，点順次画像データが得られる。点順次画像データがＲＧＢ補間処理されることにより，画素は赤色成分，青色成分および緑色成分のすべての三原色成分をもつこととなる。このような補間処理は光学ロウ・パス・フィルタの特性にもとづいて行われる（特許文献１参照）。
【特許文献１】特開2002−152761号
【０００３】
光学ロウ・パス・フィルタの特性にもとづいてＲＧＢ補間処理を行う場合，ＲＧＢ補間処理が行われる前の画像データが記録媒体に記録されると，光学ロウ・パス・フィルタの特性に応じたＲＧＢ補間処理などの画像処理をできないことがある。
【発明の開示】
【０００４】
この発明は，光学ロウ・パス・フィルタの特性に応じた画像処理ができるようにするこを目的とする。
【０００５】
第１の発明による撮像装置は，入射光をその特性に応じて分離する光学ロウ・パス・フィルタ，受光面上にカラー・フィルタが形成されている多数のフォトダイオードが配置され，上記光学ロウ・パス・フィルタを介して入射する光の像が受光面上に結像する固体電子撮像素子を含み，被写体を撮像することにより被写体像を表す点順次画像データを出力する撮像手段，ならびに上記撮像手段から出力された点順次画像データおよび上記光学ロウ・パス・フィルタ特性を表わすデータを着脱自在な記録媒体に記録する記録制御手段を備えていることを特徴とする。
【０００６】
第１の発明は，上記撮像装置に適した制御方法も提供している。すなわち，この方法は，受光面上にカラー・フィルタが形成されている多数のフォトダイオードが配置され，入力する光の像が受光面上に結像する固体電子撮像素子の前面に，入射光をその特性に応じて分離する光学ロウ・パス・フィルタを配置し，上記固体電子撮像素子を用いて被写体を撮像することにより被写体像を表す点順次画像データを得，撮像により得られた点順次画像データおよび上記光学ロウ・パス・フィルタの特性を表わすデータを着脱自在な記録媒体に記録するものである。
【０００７】
第１の発明によると，固体電子撮像素子には受光面上にカラー・フィルタが形成されているフォトダイオードが多数配置されている。固体電子撮像素子の前方には光学ロウ・パス・フィルタが配置されており，光学ロウ・パス・フィルタを介して入射する光によって表される被写体像が固体電子撮像素子の受光面上に結像する。すると，固体電子撮像素子を含む撮像手段から被写体像を表す点順次画像データが出力する。点順次画像データと光学ロウ・パス・フィルタの特性とが着脱自在な記録媒体に記録される。
【０００８】
記録媒体には，点順次画像データが得られたときに用いられた光学ロウ・パス・フィルタの特性が記録されているので，点順次画像データを再生するときに，その光学ロウ・パス・フィルタの特性を利用してＲＧＢ補間処理などの画像処理を行うことができるようになる。光学ロウ・パス・フィルタの特性に応じた画像処理が実現できる。
【０００９】
上記記録制御手段は，たとえば，上記撮像手段から出力された点順次画像データおよび上記光学ロウ・パス・フィルタの特性として分離角度を表わすデータを着脱自在な記録媒体に記録するものである。
【００１０】
分離角度に応じて分離され，ＣＣＤの受光面上に結像した光像を表す点順次画像データに対して，その分離角度に応じてＲＧＢ補間処理などができるようになる。
【００１１】
上記光学ロウ・パス・フィルタは，複数のロウ・パス・フィルタ板が積層されているものでもよい。この場合，上記記録制御手段は，上記撮像手段から出力された点順次画像データおよび上記複数の光学ロウ・パス・フィルタ板のそれぞれの光学ロウ・パス・フィルタ板の特性または積層された光学ロウ・パス・フィルタ全体の特性を，着脱自在な記録媒体に記録するものとなろう。
【００１２】
第２の発明による点順次画像データ再生装置は，点順次画像データおよび光学ロウ・パス・フィルタの特性を表わすデータを表わすデータが記録されている記録媒体から点順次画像データおよび光学ロウ・パス・フィルタの特性を表わすデータを読み取る読取手段，上記読取手段によって読み取られた光学ロウ・パス・フィルタ特性データによって表わされる特性にもとづいて，上記読取手段によって読み取られた点順次画像データの補間処理を行う補間回路，ならびに上記補間回路によって補間処理が行われた画像データを出力する出力装置を備えていることを特徴とする。
【００１３】
第２の発明は，上記点順次画像データ再生装置に適した制御方法も提供している。すなわち，この方法は，点順次画像データおよび光学ロウ・パス・フィルタの特性を表わすデータが記録されている記録媒体から点順次画像データおよび光学ロウ・パス・フィルタの特性を表わすデータを読み取り，読み取られた光学ロウ・パス・フィルタ特性データによって表わされる特性にもとづいて，読み取られた点順次画像データの補間処理を行い，補間処理が行われた画像データを出力するものである。
【００１４】
第２の発明は，上記点順次画像データ再生装置の制御方法に適したプログラムおよびそのプログラムを格納した記録媒体も提供している。
【００１５】
第２の発明においては，第１の発明にもとづいて記録媒体に記録された点順次画像データおよび光学ロウ・パス・フィルタの特性を表わすデータが読み取られる。読み取られた光学ロウ・パス・フィルタ特性データによって表わされる特性にもとづいて，点順次画像データの補間処理が行われる。補間処理が行われた点順次画像データが出力される。
【００１６】
光学ロウ・パス・フィルタの特性に応じて点順次画像データの補間処理を実行することができるようになる。
【実施例】
【００１７】
図１は，この発明の実施例を示すもので，ディジタル・スチル・カメラに用いられるＣＣＤの一部を模式的に示している。
【００１８】
ＣＣＤ１には，多数のフォトダイオード２が水平方向および垂直方向に配列（いわゆるハニカム配列）されている。フォトダイオード２は奇数行においては奇数列に配置され，偶数行においては偶数列に配置されている。もちろん，フォトダイオード２を奇数行においては偶数列に配置し，偶数行においては奇数列に配置するようにしてもよい。この実施例においては，フォトダイオード２はハニカム配列とされているが，通常のＣＣＤのようにすべての行および列にフォトダイオード２が配置されるようなものを利用できるのはいうまでもない。
【００１９】
フォトダイオード２の受光面上にはカラー・フィルタが形成されている。赤色の光成分を透過する特性を有するカラー・フィルタが形成されているフォトダイオード２には「Ｒ」の文字が付されている。緑色の光成分を透過する特性を有するカラー・フィルタが形成されているフォトダイオード２には「Ｇ」の文字が付されている。青色の光成分を透過する特性を有するカラー・フィルタが形成されているフォトダイオード２には「Ｂ」の文字が付されている。
【００２０】
フォトダイオード２の右側にはフォトダイオード２に蓄積された信号電荷を垂直方向に転送するための垂直転送路４が形成されている。垂直転送路４の出力側（下側）には，信号電荷を水平方向に転送するための水平転送路６が形成されている。水平転送路６の出力側には増幅回路７が形成されている。
【００２１】
フォトダイオード２に蓄積された信号電荷が垂直転送路４，水平転送路６および増幅回路７を介して映像信号として出力されることとなる。
【００２２】
図２は，ＣＣＤ１の受光面（フォトダイオード２が配置されている面）の前方に配置される光学ロウ・パス・フィルタの分解斜視図である。
【００２３】
この実施例による光学ロウ・パス・フィルタ10は３枚の光学ロウ・パス・フィルタ板11，12および13から構成されている。第１の光学ロウ・パス・フィルタ板11の表面に光が入射する。第１の光学ロウ・パス・フィルタ板11の裏面に第２の光学ロウ・パス・フィルタ板（第２のロウ・パス・フィルタ板12は１／４波長板である）12が貼り付けられ，第２の光学ロウ・パス・フィルタ板12の裏面に第３の光学ロウ・パス・フィルタ板13が貼り付けられる。第３の光学ロウ・パス・フィルタ板13の裏面とＣＣＤ１の受光面とが対向するように光学ロウ・パス・フィルタ10が位置決めされる。
【００２４】
図３（Ａ）は，第１のロウ・パス・フィルタ板11の正面図，図３（Ｂ）は，第１のロウ・パス・フィルタ板11を通過した光の様子を示している。
【００２５】
第１のロウ・パス・フィルタ板11は，（Ａ）に示すように，反時計回りを正方向とした場合，水平方向から45度の方向（ａｂ方向であり，右上方向ということにする）に，入射した光を分離するものである。
【００２６】
第１の光学ロウ・パス・フィルタ板11のａ点に入射した光は，（Ｂ）に示すように，光学ロウ・パス・フィルタ板11のａ点に対応するＣＣＤ１のフォトダイオード２のＡ点に入射するとともに，Ａ点から見て右上方向のＢ点に画素ピッチ（フォトダイオード２の斜め方向の間隔に相当する）ｐの距離だけ離れて入射することとなる。
【００２７】
図４（Ａ）は，第３のロウ・パス・フィルタ板13の正面図，図３（Ｂ）は，第３のロウ・パス・フィルタ板13を通過した光の様子を示している。
【００２８】
第３のロウ・パス・フィルタ板13は，（Ａ）に示すように，水平方向から−45度の方向（ａｃ方向であり，右下方向ということにする）に，入射した光を分離するものである。
【００２９】
第３の光学ロウ・パス・フィルタ板13のａ点に入射した光は，（Ｂ）に示すように，光学ロウ・パス・フィルタ板13のａ点に対応するＣＣＤ１のフォトダイオード２のＡ点に入射するとともに，Ａ点から見て右下方向のＣ点に画素ピッチ（フォトダイオード２の斜め方向の間隔に相当する）ｐの距離だけ離れて入射することとなる。
【００３０】
図５（Ａ）は，光学ロウ・パス・フィルタ10を通過した光の様子を示し，図５（Ｂ）は，ＣＣＤ１に配置されているフォトダイオード２の一部である。
【００３１】
第１の光学ロウ・パス・フィルタ板11と第３の光学ロウ・パス・フィルタ板13とは１／４波長板である第２の光学ロウ・パス・フィルタ板12を間に挟んで積層されているから，光学ロウ・パス・フィルタ10のある点に入射する光は，光学ロウ・パス・フィルタ10を通過することによって，（Ａ）に示すように，フォトダイオード２のハニカム配列に対応して４つの点Ａ，Ｂ，ＣおよびＤに分離することとなる。このように４つに分離した光が，（Ｂ）に示すように，対応する４つのフォトダイオード２に入射することとなる。
【００３２】
図６は，光学ロウ・パス・フィルタ10の特性を示すテーブルである。
【００３３】
光学ロウ・パス・フィルタ特性には，光学ロウ・パス・フィルタ（ＯＬＰＦ）の種類，分離角度および分離距離が含まれている。これらの光学ロウ・パス・フィルタ特性は，光学ロウ・パス・フィルタを構成する光学ロウ・パス・フィルタ板ごとに規定されている（もっとも光学ロウ・パス・フィルタ板ごとに規定することなく，光学ロウ・パス・フィルタ全体の特性を示す総合的な特性を規定するようにしてもよい）。
【００３４】
光学ロウ・パス・フィルタの種類には，分離特性の有無および１／４波長板かどうかが規定されている。分離角度は，上述したように，水平方向を基準として反時計回りを正方向とした場合のものが規定されている。分離距離は画素ピッチｐが基準とされ，その距離が規定されている。
【００３５】
図７は，上述したＣＣＤ１および光学ロウ・パス・フィルタ10を用いたディジタル・スチル・カメラの電気的構成を示すブロック図である。
【００３６】
ディジタル・スチル・カメラの全体の動作は，ＣＰＵ30によって統括される。
【００３７】
ＣＰＵ30には，上述したように図６に示す光学ロウ・パス・フィルタ特性が記憶されているメモリ９が含まれている。
【００３８】
ディジタル・スチル・カメラには，操作装置31が含まれている。この操作装置31には，二段ストローク・タイプのシャッタ・レリーズ・ボタン，モード設定スイッチ，ストロボ発光スイッチなどが含まれている。操作装置31からの出力信号は，ＣＰＵ30に与えられる。
【００３９】
ディジタル・スチル・カメラは，ストロボ撮影が可能であり，そのためにＣＰＵ30によって発光制御されるストロボ発光装置32が含まれている。また，ストロボ発光装置12からの発光量を一定に保つために受光センサ33が設けられている。受光センサ33から出力される受光信号は，ＣＰＵ30に入力する。
【００４０】
ＣＣＤ１の受光面前方には，レンズ駆動回路14によってそのズーム量が制御されるズーム・レンズ17，絞り駆動回路15により絞り値が制御される絞り18，赤外線カット・フィルタ19および光学ロウ・パス・フィルタ10が設けられている。これらのズーム・レンズ17，絞り18および赤外線カット・フィルタ19を透過した光は，光学的ロウ・パス・フィルタ10に与えられる。光学ロウ・パス・フィルタ10において，上述したように，１つの入射光が４つに分離される。光学ロウ・パス・フィルタ10があることによって偽信号の発生が防止される。
【００４１】
光学ロウ・パス・フィルタ10において分離した光はＣＣＤ１の受光面上に入射し，被写体像が結像する。撮像素子駆動回路16によってＣＣＤ１が駆動させられ，ＣＣＤ１からカラー・フィルタ配列にしたがって赤色成分，青色成分または緑色成分が画素ごとに交互に現れる点順次映像信号が出力される。
【００４２】
ＣＣＤ１から出力された点順次映像信号は，アナログ信号処理回路21において白バランス調整などの所定のアナログ信号処理が行われる。アナログ信号処理回路21から出力された点順次映像信号は，アナログ／ディジタル変換回路22において点順次画像データに変換される。
【００４３】
点順次画像データは，ディジタル信号処理回路25に入力する。ディジタル信号処理回路25において，ＲＧＢ補間処理，ガンマ補正，輝度データおよび色差データ生成処理その他の所定のディジタル信号処理が行われる。ディジタル信号処理回路25において生成された輝度データおよび色差データが表示制御回路36に与えられる。表示装置35の表示画面上に撮像された被写体像が表示される。
【００４４】
シャッタ・レリーズ・ボタンの第１段階の押下があると，上述のようにして生成された輝度データは，積算回路27に与えられ，合焦量および露光量が算出される。算出された合焦量にもとづいて合焦するように，ズーム・レンズ17が制御され，かつ算出された露光量にもとづいて適正露光となるように，絞り18の絞り値およびシャッタ速度がそれぞれ決定される。
【００４５】
シャッタ・レリーズ・ボタンの第２段階の押下があると，被写体が撮像され，ＣＣＤ１から映像信号が出力される。上述したように，ディジタル信号処理回路25において生成された輝度データおよび色差データが，圧縮／伸張処理回路26に与えられる。圧縮／伸張処理回路26においてＪＰＥＧ（joint photographic experts group）にもとづくデータ圧縮が行われる。圧縮された合成画像データがメモリ制御回路28によってメモリ・カード29に記録される。メモリ・カード29には，ダイナミック・レンジの広い被写体像を表す画像データが記録されることとなる。
【００４６】
この実施例によるディジタル・スチル・カメラにおいては，ＲＧＢ補間処理が行われていない点順次画像データをメモリ・カード29に記録することもできる（ＲＡＷデータ記録モード）。操作装置11においてＲＡＷデータ記録モードが設定されると，上述のようにしてアナログ／ディジタル変換回路22から出力された点順次画像データは，メモリ制御回路23の制御によりメイン・メモリ24に一時的に記憶される。点順次画像データはメイン・メモリ24から読み出されメモリ制御回路28によってメモリ・カード29に記録される。メモリ・カード29には，メモリ９に記憶されている光学ロウ・パス・フィルタ特性なども与えられ，記録される。
【００４７】
ディジタル・スチル・カメラは再生機能も有しているが，ここでは説明を省略する。
【００４８】
図８は，上述したように，ＲＡＷデータ記録モードにおいてメモリ・カードに記録されるＲＡＷデータ・ファイルのファイル構造（データ構造）の一例である。
【００４９】
ＲＡＷデータ・ファイルには，ファイル情報記録領域，カメラ情報記録領域，撮影情報記録領域，点順次画像データ記録領域が含まれている。ファイル情報記録領域には，ＲＡＷデータ・ファイルを管理する情報が格納されている。カメラ情報記録領域には，図６に示した光学ロウ・パス・フィルタの特性が記録される。撮影情報記録領域には，画像データが得られたときの露出量，シャッタ速度などの情報が記録される。点順次画像データ記録領域には，ＲＧＢ補間処理が行われていない点順次画像データが記録される。
【００５０】
図９は，メモリ・カード29に記録されたRAWデータ・ファイルを再生する装置の電気的構成を示すブロック図である。
【００５１】
再生装置の全体の動作は，ＣＰＵ40によって統括される。
【００５２】
再生装置には，CD-ROM（コンパクト・ディスク−リード・オンリ・メモリ）ドライブ43が含まれている。このCD-ROMドライブ43に，再生装置の動作プログラムが格納されているCD-ROMが装填されることにより，再生装置の動作プログラムが読み取られる。読み取られた動作プログラムはメモリ42に与えられる。
【００５３】
再生装置40には操作装置41が含まれている。操作装置41から出力される再生指令信号などの操作信号は，ＣＰＵ40に入力する。
【００５４】
RAWデータ・ファイルが格納されているメモリ・カード29がメモリ・カード・リーダ51に装填される。すると，メモリ・カード・リーダ51によって，メモリ・カード29に格納されているＲＡＷデータ・ファイルの中の点順次画像データおよび光学ロウ・パス・フィルタ特性が読み取られる。読み取られた点順次画像データはオフセット補正回路52に与えられ，光学ロウ・パス・フィルタ特性はＲＧＢ補間回路55に与えられる。
【００５５】
点順次画像データは，オフセット補正回路52およびゲイン補正回路53においてそれぞれオフセット補正およびゲイン補正が行われ，ガンマ補正回路54に入力する。ガンマ補正された点順次画像データがＲＧＢ補間回路55に入力する。
【００５６】
ＲＧＢ補間回路55において，点順次画像データは光学ロウ・パス・フィルタ特性に対応したＲＧＢ補間処理が行われる。ＲＧＢ補間処理について詳しくは後述する。
【００５７】
ＲＧＢ補間回路55においてＲＧＢ補間処理が行われることにより，パラレルの赤成分の画像データＲ，緑成分の画像データＧおよび青成分の画像データＢが得られる。赤成分の画像データＲ，緑成分の画像データＧおよび青成分の画像データＢがＲＧＢ／ＹＣ変換回路56において輝度データＹおよび色差データＣが生成される。生成された輝度データＹは輪郭補正回路57に入力し，生成された色差データＣは色差マトリクス回路58に入力する。
【００５８】
輝度データは，輪郭補正回路57において輪郭補正が行われてＹＣ／ＲＧＢ変換回路59に入力する。色差データは色差マトリクス回路58において色補正が行われてＹＣ／ＲＧＢ変換回路59に入力する。ＹＣ／ＲＧＢ変換回路59において，輝度データＹおよび色差データＣから赤成分の画像データＲ，緑成分の画像データＧおよび青成分の画像データＢが生成される。生成された画像データＲ，ＧおよびＢが表示装置60に与えられることにより，メモリ・カード29に記録されているRAWデータ・ファイルによって表される画像が表示される。
【００５９】
図10は，点順次画像データによって表される画像の一部を示している。
【００６０】
点順次画像データによって表される画像は，画像を構成する画素が赤色成分，緑色成分および青色成分を有しているものではない。画像を構成する画素は，ＣＣＤ１のフォトダイオード２に形成されているカラー・フィルタの色透過成分に対応した色成分を有している。有していない色成分についてＲＧＢ補間処理が行われ，各画素が赤色成分，緑色成分および青色成分のすべての光成分をもつようになる。
【００６１】
第１行第１列，第１行第３列，第２行第２列，第３行第１列および第３行第３列の画素Ｇ11，Ｇ31，Ｒ22，Ｇ13およびＧ33が図示されている。第１行第１列，第１行第３列，第２行第２列，第３行第１列および第３行第３列の画素Ｇ11，Ｇ31，Ｇ13およびＧ33は，受光面上に緑色の光の透過を許すカラー・フィルタが形成されているフォトダイオード２に蓄積された信号電荷にもとづいて得られたものであり，第２列第２行の画素Ｒ22は受光面上に赤色の光の透過を許すカラー・フィルタが形成されているフォトダイオード２に蓄積された信号電荷にもとづいて得られたものである。
【００６２】
第２行第２列の画素Ｒ22は，赤色成分のものであり，緑色成分および青色成分を有していないから緑色成分および青色成分の画像データがＲＧＢ補間処理によって生成される。
【００６３】
第２行第２列の画素Ｒ22の緑色成分Ｇ22は式１によって生成される。
【００６４】
Ｇ22＝Ｗｐ｛（Ｇ13＋Ｇ31）／２｝＋（１−Ｗｐ）｛（Ｇ11＋Ｇ33）／２｝・・・式１
但し，Ｗｐは重み付け係数である。
【００６５】
青色成分および赤色成分についての補間処理についても同様にして行うことができる。
【００６６】
図11は，ＲＧＢ補間回路55における補間処理手順を示すフローチャートである。
【００６７】
上述したように，RAWデータ・ファイルに記録されている光学ロウ・パス・フィルタの特性が読み取られる（ステップ71）。読み取られた光学ロウ・パス・フィルタ特性から，点順次画像データが得られたときに用いられた光学ロウ・パス・フィルタ19が光を右上方向および右下方向の両方向に分離する対称のものかどうかが判断される（ステップ72）。  
【００６８】
光学ロウ・パス・フィルタが対称のものであれば（ステップ72でＹＥＳ），式１の重み付け係数は対称用のもの（Ｗｐ＝0.5）が設定される（ステップ76）。上述した光学ロウ・パス・フィルタ10は対称のものであるから，そのような光学ロウ・パス・フィルタ10を用いて得られた点順次画像データをＲＧＢ補間する場合には対称の重み付け係数が設定されることとなろう。
【００６９】
光学ロウ・パス・フィルタ10が対称のものでなければ（ステップ72でＮＯ），右上方向の分離距離と右下方向の分離距離とが比較される（ステップ73）。右上方向の分離距離が大きければ（ステップ73でＹＥＳ），右上方向の重み付けが重視される重み付け係数Ｗｐ（Ｗｐ＝0.5〜1.0）に設定される（ステップ75）。右下方向の分離距離が大きければ（ステップ73でＮＯ），右下方向の重み付けが重視される重み付け係数Ｗｐ（Ｗｐ＝０〜0.5）に設定される（ステップ74）。これらの重み付け係数Ｗｐは，右上方向の分離距離と右下方向の分離距離との比率に応じて決定することができる。比率が１に近いほど重み付け係数Ｗｐは0.5に近づくこととなろう。
【００７０】
このようにして設定された重み付け係数Ｗｐを用いて式１にしたがって点順次画像データについてＲＧＢ補間処理が実行される（ステップ77）。光学ロウ・パス・フィルタの分離方向の特性に応じてＲＧＢ補間に用いられる重み付け係数Ｗｐが変えられてＲＧＢ補間処理が行われるので，相関の高い方向で補間処理を実現できる。偽信号や偽色の発生を未然に防止することができる。
【００７１】
上述した実施例においては，光学ロウ・パス・フィルタ特性として光学ロウ・パス・フィルタ10を構成する３つの光学ロウ・パス・フィルタ板11〜13のそれぞれの特性をメモリ・カードに記録しておき，それらの３つの光学ロウ・パス・フィルタ板11〜13ごとの特性から光学ロウ・パス・フィルタが対称のものか非対称のものかどの程度の分離距離かを判断しているが，３つの光学ロウ・パス・フィルタ板11〜13のそれぞれの特性を記録せずに光学ロウ・パス・フィルタ10が全体として対称のものか非対称のものかその分離距離を示すデータをメモリ・カードに点順次画像データとともに記録するようにしておいてもよい。
【００７２】
図12は，一枚の光学ロウ・パス・フィルタ板の特性を示している。
【００７３】
この光学ロウ・パス・フィルタ板は，分離角度45度の分離特性をもち，その分離距離は１ピッチである（図３（Ａ）および（Ｂ）に示す光学ロウ・パス・フィルタ板11と同じ特性をもつ）。
【００７４】
ディジタル・スチル・カメラに用いられる光学ロウ・パス・フィルタは複数枚から構成されずに，このような特性をもつ一枚の光学ロウ・パス・フィルタ板を利用するようにしてもよい。図12に示す特性をもつ光学ロウ・パス・フィルタ板を用いて得られた点順次画像データは右上方向重視の重み付け係数Ｗｐを用いてＲＧＢ補間処理が行われることとなろう。
【図面の簡単な説明】
【００７５】
【図１】ＣＣＤの一部を示す模式図である。
【図２】光学ロウ・パス・フィルタの分解斜視図である。
【図３】（Ａ）は45度の分離方向をもつ光学ロウ・パス・フィルタ板の正面図，（Ｂ）は光学ロウ・パス・フィルタ板により光が分離された様子を示している。
【図４】（Ａ）は−45度の分離方向をもつ光学ロウ・パス・フィルタ板の正面図，（Ｂ）は光学ロウ・パス・フィルタ板により光が分離された様子を示している。
【図５】（Ａ）は光学・ロウ・パス・フィルタにより光が分離された様子を示し，（Ｂ）はＣＣＤのフォトダイオードの一部を示している。
【図６】光学ロウ・パス・フィルタの特性を示している。
【図７】ディジタル・スチル・カメラの電気的構成を示すブロック図である。
【図８】RAWデータ・ファイルのファイル構造を示している。
【図９】点順次画像データの再生装置の電気的構成を示すブロック図である。
【図１０】点順次画像データによって表される画像を構成する画素の一部である。
【図１１】ＲＧＢ補間処理手順を示すフローチャートである。
【図１２】光学ロウ・バス・フィルタの特性を示している。
【符号の説明】
【００７６】
１  ＣＣＤ
２  フォトダイオード
９，42  メモリ
10  光学ロウ・パス・フィルタ
11，12，13  光学ロウ・バス・フィルタ板
28  メモリ制御回路（記録制御手段）
29  メモリ・カード
30，40  ＣＰＵ
43  CD-ROMドライブ
51  メモリ・カード・リーダ（読取手段）
55  ＲＧＢ補間回路
【図１】
2005167862.tif 000003
【図２】
2005167862.tif 000004
【図３】
2005167862.tif 000005
【図４】
2005167862.tif 000006
【図５】
2005167862.tif 000007
【図６】
2005167862.tif 000008
【図７】
2005167862.tif 000009
【図８】
2005167862.tif 000010
【図９】
2005167862.tif 000011
【図１０】
2005167862.tif 000012
【図１１】
2005167862.tif 000013
【図１２】
2005167862.tif 000014